(57)【要約】【課題】  構造が単純で、既設のロールペーパホルダに組み込むことが容易であり、従来のロールペーパホルダの使用感と遜色のないロールペーパのつかみ代送り出し装置を提供する。【解決手段】  つかみ代送り出し装置２は、上蓋５０の下面に取り付けられ、上蓋５０から下方へ突出する突出位置とその突出位置から後方へ倒伏する倒伏位置との間を揺動可能な揺動プレート１８と、その揺動プレート１８を突出位置へ付勢するねじりバネ１６と、揺動プレート１８の下端に連結される押さえ板４と、を有する。【選択図】図２
2015077176.tif 000002
【特許請求の範囲】
【請求項１】
上下方向へ揺動可能な上蓋を備えてロールペーパを保持するロールペーパホルダに取り付けられ、前記ロールペーパをその端部が前記上蓋からつかみ代として前方へ突出するまで回転させるロールペーパのつかみ代送り出し装置であって、
前記上蓋の下面に取り付けられ、前記上蓋から下方へ突出する突出位置とその突出位置から後方へ倒伏する倒伏位置との間を揺動可能な揺動部材と、その揺動部材を前記突出位置へ付勢する付勢手段と、前記揺動部材の下端に連結される当接部材と、を有し、
常態では前記揺動部材が前記突出位置に付勢されることで、前記上蓋を前記ロールペーパから離れた上方位置に保持し、前記上蓋を前記上方位置から前端が前記ロールペーパに当接するまで下方へ押し込むと、前記揺動部材が前記当接部材を前記ロールペーパに当接させたまま前記倒伏位置へ揺動し、前記上蓋の押し込みを解除すると、前記付勢手段によって前記突出位置へ復帰する前記揺動部材が前記当接部材を介して前記ロールペーパをつかみ代の突出方向へ回転させることを特徴とするロールペーパのつかみ代送り出し装置。
【請求項２】
前記揺動部材を前後に一対設けて各揺動部材の下端同士を連結部材で連結し、前記連結部材の前端に前記当接部材を設けたことを特徴とする請求項１に記載のロールペーパのつかみ代送り出し装置。
【請求項３】
前記当接部材に、前記当接部材の前端との間で前記ロールペーパの端部を挟持して前記つかみ代を前記ロールペーパから浮き上がらせるペーパ保持アームを設けたことを特徴とする請求項１又は２に記載のロールペーパのつかみ代送り出し装置。
【請求項４】
前記当接部材に、前記当接部材の下面から下方へ突出付勢され、前記ロールペーパへの当接状態で前記当接部材の下面を前記ロールペーパから離間させる持ち上げ部材を設けたことを特徴とする請求項３に記載のロールペーパのつかみ代送り出し装置。
【請求項５】
前記上蓋を前記上方からさらに上方へ押し上げて常態で前記当接部材の下面を前記ロールペーパから離間させる押し上げ手段を設けたことを特徴とする請求項３に記載のロールペーパのつかみ代送り出し装置。
【発明の詳細な説明】
【技術分野】
【０００１】
本発明は、ペーパーホルダに設置し、ロールペーパのつかみ代を形成するロールペーパのつかみ代送り出し装置に関するものである。
【背景技術】
【０００２】
従来より、トイレ等で使用されているペーパーホルダは、使用後のロールペーパ切り口が上蓋の中に隠れることや、その他の要因で位置が安定しない状況が多々あり、引出口を探すのには少なからずストレスを感じることがあった。特に、身体の不自由な人にとっては、これをつかみにくい場合があり、不便を生じるという問題があった。
【０００３】
これに対し、ロールペーパをつかみ易くする機構としては、所定量のロールペーパがつかみ易い位置に自動的に繰り出され、しかも垂下した状態となるようにするロールペーパホルダが知られている(特許文献１)。
【先行技術文献】
【特許文献】
【０００４】
【特許文献１】特開２００３−４７２号公報
【発明の概要】
【発明が解決しようとする課題】
【０００５】
しかしながら、このようなロールペーパホルダでは、ロールペーパ端部は垂下しているものの、構造が複雑であることから、既設のロールペーパホルダに組み込むことが困難なであることや、ロールペーパをつかみ易くする機構を組み込んだロールペーパホルダを、新たに準備しなければならないという問題があった。更に、従来のロールペーパホルダに比べてつかみ代を送り出す使用感が異なるという問題もあった。
【０００６】
そこで、本発明の目的は、上記従来のペーパーホルダの問題点を解消し、構造が単純で、既設のロールペーパホルダに組み込むことが容易であり、従来のロールペーパホルダの使用感と遜色のないロールペーパのつかみ代送り出し装置を提供することにある。
【課題を解決するための手段】
【０００７】
本発明のうち、請求項１に記載された発明は、上下方向へ揺動可能な上蓋を備えてロールペーパを保持するロールペーパホルダに取り付けられ、前記ロールペーパをその端部が前記上蓋からつかみ代として前方へ突出するまで回転させるロールペーパのつかみ代送り出し装置であって、
前記上蓋の下面に取り付けられ、前記上蓋から下方へ突出する突出位置とその突出位置から後方へ倒伏する倒伏位置との間を揺動可能な揺動部材と、その揺動部材を前記突出位置へ付勢する付勢手段と、前記揺動部材の下端に連結される当接部材と、を有し、
常態では前記揺動部材が前記突出位置に付勢されることで、前記上蓋を前記ロールペーパから離れた上方位置に保持し、前記上蓋を前記上方位置から前端が前記ロールペーパに当接するまで下方へ押し込むと、前記揺動部材が前記当接部材を前記ロールペーパに当接させたまま前記倒伏位置へ揺動し、前記上蓋の押し込みを解除すると、前記付勢手段によって前記突出位置へ復帰する前記揺動部材が前記当接部材を介して前記ロールペーパをつかみ代の突出方向へ回転させることを特徴とするものである。
【０００８】
請求項２に記載された発明は、請求項１に記載の発明に加え、前記揺動部材を前後に一対設けて各揺動部材の下端同士を連結部材で連結し、前記連結部材の前端に前記当接部材を設けたことを特徴とするものである。
【０００９】
請求項３に記載された発明は、請求項１又は２に記載の発明に加え、前記当接部材に、前記当接部材の前端との間で前記ロールペーパの端部を挟持して前記つかみ代を前記ロールペーパから浮き上がらせるペーパ保持アームを設けたことを特徴とするものである。
【００１０】
請求項４に記載された発明は、請求項３に記載の発明に加え、前記当接部材に、前記当接部材の下面から下方へ突出付勢され、前記ロールペーパへの当接状態で前記当接部材の下面を前記ロールペーパから離間させる持ち上げ部材を設けたことを特徴とするものである。
【００１１】
請求項５に記載された発明は、請求項３に記載の発明に加え、前記上蓋を前記上方からさらに上方へ押し上げて常態で前記当接部材の下面を前記ロールペーパから離間させる押し上げ手段を設けたことを特徴とするものである。
【発明の効果】
【００１２】
請求項１及び２に記載された発明は、構造が単純で、既設のロールペーパホルダに組み込むことが容易であり、従来のロールペーパホルダの使用感と遜色がない。特に、身体の不自由な人にとっては、ロールペーパ端部がつかみ易く、非常に便利である。
【００１３】
請求項３に記載された発明は、つかみ代とロールペーパ表面との間に空間を形成することから、つかみ代がロールペーパー表面に貼り付くことを防止し、つかみ代がつかみ易くなる。
【００１４】
請求項４に記載された発明は、つかみ代とロールペーパとの間の空間を更に広く確保することが可能で、より一層つかみ代がつかみ易くなる。
【００１５】
請求項５に記載された発明は、つかみ代がロールペーパに懸かることなく、ロールペーパとつかみ代との間に一定の空間を形成することから、更につかみ代がつかみ易くなる。他にも、ほぼ同位置でつかみ代を提供することが可能であり、装置本体の自重がロールペーパに掛かることもない。
【図面の簡単な説明】
【００１６】
【図１】（ａ）はロールペーパホルダにつかみ代送り出し装置が装着された状態を示し、（ｂ）は更にロールペーパを保持した状態を示す説明図である。
【図２】つかみ代送り出し装置を示す全体図である。
【図３】（ａ）〜（ｄ）は、つかみ代送り出し装置によってロールペーパが送り出される手順を示したＡ−Ａ断面説明図である。
【図４】変更例の全体斜視図を示す説明図である。
【図５】（ａ）は、つかみ代送り出し装置の変更例を示し、（ｂ）は更にロールペーパを保持した状態を示す。（ｃ）は（ｂ）のＢ−Ｂ断面を示す説明図である。
【図６】（ａ）は、つかみ代送り出し装置の変更例を示し、（ｂ）はロールペーパを保持した状態のＣ−Ｃ断面を示す説明図である。
【図７】（ａ）は、つかみ代送り出し装置の変更例を示し、（ｂ）はロールペーパを保持した状態を示す説明図である。
【発明を実施するための形態】
【００１７】
以下、本発明のつかみ代送り出し装置の一実施形態について、図面に基づいて詳細に説明する。
【００１８】
図１は、ロールペーパホルダにつかみ代送り出し装置が装着された状態と、更にロールペーパを保持した状態を示す説明図である。図２は、つかみ代送り出し装置を示す全体図である。図３は、図１（ｂ）の断面図であり、つかみ代送り出し装置によってロールペーパが送り出される手順を示した説明図である。
【００１９】
先ず初めに、図１に示すように、ロールペーパホルダ１は、内側に係止アーム６２を備えロールペーパを保持するロールペーパ保持部６０，６０と、これらを連設するとともに、壁面に固定する背板６１と、カーブした先端のエッジでロールペーパを切断する上蓋５０と、ロールペーパ４０を前方へ送り出すつかみ代送り出し装置２とで構成する構造である。
このうち、つかみ代送り出し装置２は、図２に示すように、左右のフレーム１４，１５を連設してＨ型に形成した揺動プレート１８を有し、フレーム１４，１５の上端には、シャフト２０を挿入することで、揺動プレート１８自身を前後へ揺動可能としている。この揺動プレート１８が、本発明の揺動部材である。そして、このシャフト２０は、中央でねじりバネ１９を係止した状態で両端をＬ字状に形成したアングル２１，２１が保持している。
また、アングル２１，２１間では、シャフト２０の後方において、揺動プレート１８の後方に並設されるフレーム２４（揺動部材）上端（図３（ａ）参照）を回動可能とするシャフト２２も同様に保持している。そして、これらＬ字状のアングル２１，２１は、上蓋５０裏面に貼着されるベースプレート３の下面の両端に固定されている。
【００２０】
一方、揺動プレート１８のフレーム１４，１５下端には、シャフト１３が挿入されている。このシャフト１３上には、中央でねじりバネ１６の端部の一方を係止するとともに、フレーム１５の溝内でワイヤ１７を係止している。また、フレーム２４下端にも、シャフト１３の後方で平行にシャフト２３が挿入されている。そして、このシャフト１３とシャフト２３とは、Ｌ字状に形成されたアングル１２，１２に保持されている。
【００２１】
これらアングル１２，１２の先端には、樹脂製の押さえ板４が取り付けられており、この押さえ板４の両端部には、Ｌ字状に形成したアーム支持プレート７，７が取り付けられている。これらのうち、押さえ板４が、本発明の当接部材である。
また、アーム支持プレート７，７には、コ字状に折り曲げ形成するとともに、下端左右でローラペーパが横ぶれすることを防止する横ぶれ防止ガイド１１，１１を形成した横ぶれ防止アーム１０の先端が係止されている。
【００２２】
次に、図３（ａ）に示すように、シャフト２３に保持されるねじりバネ１６の端部の一方がフレーム２４に係止し、他方がシャフト１３に係止していることから、揺動プレート１８には、シャフト１３を基点として前方へ回転しようとする力が働くこととなる。このねじりバネ１６が、本発明の付勢手段である。
ここで、ワイヤ１７の端部の一方をシャフト２２に、他方をシャフト１３にそれぞれ係止していることから、ワイヤ１７の全長以上は揺動プレート１８が回転することを制限する構造となっている。
【００２３】
このようにして構成したつかみ代送り出し装置２によるロールペーパ４０の送り出しは、以下のように行われる。
先ず常態では、図３（ａ）のように、バネによって各シャフトは平行四辺形の各頂点に位置し、押さえ板４はロールペーパ４０の上端に位置する。また、上蓋５０は、ロールペーパ４０の上方に位置する。
そして、図３（ｂ）に示すように、上蓋５０を、カーブした先端がロールペーパ４０に当接する位置まで押し下げる。この時、上蓋５０の内側では、ねじりバネ１９先端が、押さえ板４に当接し、上蓋５０を上方へ押し上げる反力が発生する。
その後、図３（ｃ）に示すように、押さえ板４がロールペーパ４０外周に当接することとなるが、上蓋５０は前後に移動しないことから、揺動プレート１８とフレーム２４とが後方へ揺動して各シャフトによる平行四辺形が潰れる格好となる。そして、押さえ板４が僅かではあるが後方へと移動するため、ねじりバネ１６の反力が内部に蓄積される状態となる。この時、押さえ板４は、ロールペーパ４０に接触していることから、ねじりバネ１６の反力によって、ロールペーパ４０も、僅かではあるが矢印の示す反時計回りの方向に回転することとなる。
【００２４】
その後、上蓋５０のエッジによってロールペーパ４０の端部を切り取り、上蓋５０から手を放すと、図３（ｄ）に示すように、ねじりバネ１６の反力が開放されることから、押さえプレート４が前方へと押し出されて図３（ａ）の位置に復帰する。この時、ロールペーパ４０を矢印の示す時計回りの方向に回転させることから、ロールペーパ４０外周のペーパも送り出されて、つかみ代４０ａを前方に形成することとなるのである。
【００２５】
上記の如く構成されたつかみ代送り出し装置２は、上蓋５０の下面に取り付けられ、上蓋５０から下方へ突出する突出位置とその突出位置から後方へ倒伏する倒伏位置との間を揺動可能な揺動プレート１８と、その揺動プレート１８を突出位置へ付勢するねじりバネ１６と、揺動プレート１８の下端に連結される押さえ板４と、を有し、
常態では揺動プレート１８が突出位置に付勢されることで、上蓋５０をロールペーパ４０から離れた上方位置に保持し、上蓋５０を上方位置から前端がロールペーパ４０に当接するまで下方へ押し込むと、揺動プレート１８が押さえ板４をロールペーパ４０に当接させたまま倒伏位置へ揺動し、上蓋５０の押し込みを解除すると、ねじりバネ１６によって突出位置へ復帰する揺動プレート１８が押さえ板４を介してロールペーパ４０をつかみ代４０ａの突出方向へ回転させることにより、構造が単純で、既設のロールペーパホルダ１に組み込むことが容易であり、従来のロールペーパホルダの使用感と遜色がない。特に、身体の不自由な人にとっては、ロールペーパ４０端部がつかみ易く、非常に便利である。
【００２６】
また、揺動プレート１８とフレーム２４とを前後に一対設けてこれらの下端同士をＬ字アングル１２，１２で連結し、Ｌ字アングル１２，１２の前端に押さえ板４を設けたことにより、構造が単純で、既設のロールペーパホルダ１に組み込むことが容易であり、従来のロールペーパホルダの使用感と遜色がない。更に、ロールペーパ４０端部がつかみ易く、非常に便利である。
【００２７】
なお、本発明にかかるつかみ代送り出し装置の構造は、上記した実施の形態に何ら限定されるものではなく、本発明の趣旨を逸脱しない範囲で、押さえ板やアームの形状、大きさ、材質等を適宜変更することができる。
【００２８】
例えば、押さえ板４は、必ずしも樹脂製の板材である必要はなく、金属製であっても良い。この場合、ロールペーパ４０を送り出し、つかみ代４０ａを形成するものであれば適宜変更可能である。
【００２９】
他にも、押さえ板４は、必ずしも平坦な板材である必要はなく、図５（ｃ）に示すように、前方側先端を階段状に形成した段部５としても良く、適宜変更可能である。
この場合、図４に示すように、アーム保持プレート７，７間に、コ字状に折り曲げ形成したペーパ保持アーム８の両端部を係止して、押さえ板４に対して回動可能とする一方、端部の一方には、回り止めピン９が形成されている。これにより、回り止めピン９がアーム保持プレート７に当接して下方への回転を制限し、ペーパ保持アーム８本体が段部５に当接して上方への回転を制限する構造である。また、押さえ板４の平面側両端には、アームストッパー６，６が設けられており、このアームストッパー６の凸部にペーパ保持アーム８の内側側面を係止するロック機構で、ペーパ保持アーム８が段部５に当接した状態で保持されるのである。
そして、図５（ｂ）（ｃ）に示すように、ロールペーパ４０先端を段部５とペーパ保持アーム８との間に挿入した後、アームストッパー６，６にペーパ保持アーム８の内側側面を係止することで、ロールペーパ４０が、これらの間から抜け落ちることを防止するとともに、ロールペーパ４０の上方のほぼ同位置でつかみ代４０ａを提供することが可能となる。加えて、ロールペーパ４０の引き出しがスムーズであり、従来と違和感なく使用することが可能である。
このように、押さえ板４に、押さえ板４の前端との間でロールペーパ４０の端部を挟持してつかみ代４０ａをロールペーパ４０から浮き上がらせるペーパ保持アーム８を設けたことにより、つかみ代４０ａとロールペーパ４０表面との間に空間を形成することから、つかみ代４０ａがロールペーパー４０表面に貼り付くことを防止し、つかみ代４０ａがつかみ易くなる。
【００３０】
なお、アームストッパー６による横ぶれ防止アーム１０の係止は、必ずしもこの態様である必要はなく、ボールプランジャを用いて、先端のボールによって横ぶれ防止アーム１０を係止する構造や、磁石を用いて磁力による吸着であっても良く、適宜変更可能である。
【００３１】
更に、図６（ａ）に示すように、押さえ板４の中央から突出し、前方に向かって傾斜する逆Ｔ字状の持ち上げステー３５を設けても良い。
この場合、図６（ｂ）に示すように、持ち上げステー３５は、押さえ板４の平面側に設けた凸部３４内に回動自在に設けるとともに、支点には、ねじりバネが内蔵されていることから、下方（ロールペーパ４０側）に向かって付勢される構造である。この持ち上げステー３５が、本発明の持ち上げ部材である。
これにより、上蓋５０を、カーブした先端がロールペーパ４０に当接する位置まで押し下げると、持ち上げステー３５が、押さえ板４側に回動する一方、上蓋５０から手を放すと、持ち上げステー３５が下方に向かって付勢されるのである。
このように、押さえ板４に、押さえ板４の下面から下方へ突出付勢され、ロールペーパ４０への当接状態で押さえ板４の下面をロールペーパ４０から離間させる持ち上げステー３５を設けたことにより、つかみ代４０ａとロールペーパ４０との間の空間を更に広く確保することが可能で、より一層つかみ代４０ａがつかみ易くなる。
【００３２】
また、図７（ａ）に示すように、図５に示す構成に加えて位置復元アームセット３６を、ベースプレート３裏面に設け、上蓋５０が常に上方へ押し上げられる構造としても良く、適宜変更可能である。
この場合、位置復元アームセット３６は、ベースプレート３の右端部内側に、コ字状に形成されたフレーム３０が設けられており、このフレーム３０内に、アーム３７の一方の端部を回動可能に保持している。この時、アーム３７には、ねじりバネ３２をフレーム３０内に保持した状態で挿入していることから、ねじりバネ３２の一方の端部が位置復元アームセット３６を背板６１側へ押す力が働く一方、ねじりバネ３２の他方の端部が上蓋５０を上方へ押し上げようとする力が働く構造である。この位置復元アームセット３６が、本発明の押し上げ手段である。
また、アーム３７の他方の端部には、ローラ３８の両端面を回転可能に保持するローラ保持部材３９が設けられていることから、ローラ３８の外周面が背板６１上を回転して上下に移動することで、上蓋５０の開閉が滑らかに行われる。
これにより、図７（ｂ）に示すように、ロールペーパ４０とつかみ代４０ａとの間に空間Ｄが形成されることから、空間が更に広く形成されることで、より一層つかみ代がつかみ易くなる。また、ほぼ同じ位置につかみ代４０ａを提供することができるので使い易い。他にも、装置の自重がロールペーパ４０に懸からず、ペーパ保持アーム８が僅かな力で、図４に示すアームストッパー６の凸部にペーパ保持アーム８の内側側面を係止した状態から係止を開放する構造であり、ロールペーパ４０の引出がスムーズで違和感なく使用することが可能である。
このように、上蓋５０を上方からさらに上方へ押し上げて常態で押さえ板４の下面をロールペーパ４０から離間させる位置復元アームセット３６を設けたことにより、つかみ代４０ａがロールペーパ４０に懸かることなく、ロールペーパ４０とつかみ代４０ａとの間に一定の空間が形成されることから、つかみ代４０ａがロールペーパ４０に懸かることなく、ロールペーパ４０とつかみ代４０ａとの間に一定の空間を形成することから、更につかみ代４０ａがつかみ易くなる。他にも、ロールペーパ４０の残量に関係なく、ほぼ同位置でつかみ代４０ａを提供することが可能であり、つかみ代送り出し装置２本体の自重がロールペーパ４０に掛かることもない。
【００３３】
更に、この位置復元アームセット３６の機能を、ロールペーパ保持部６０内に設けても良く、適宜変更可能である。
この場合、アーム３７やローラ３８が不用意にロールペーパ４０に接触するおそれがないことから、安心して使用することが可能であり、衛生的でもある。
【符号の説明】
【００３４】
１・・ロールペーパホルダ、２・・つかみ代送り出し装置、３・・ベースプレート、４・・押さえ板、５・・段部、６・・アームストッパー、７・・アーム支持プレート、８・・ペーパ保持アーム、９・・回り止めピン、１０・・横ぶれ防止アーム、１１・・横ぶれ防止ガイド、１２・・Ｌ字アングル、１３・・シャフト、１４・・フレーム、１５・・フレーム（溝付き）、１６・・ねじりバネ、１７・・ワイヤ、１８・・揺動プレート、１９・・ねじりバネ、２０・・シャフト、２１・・Ｌ字アングル、２２・・シャフト、２３・・シャフト、２４・・フレーム、３０・・フレーム、３１・・シャフト、３２・・ねじりバネ、３３・・ねじりバネ、３４・・凸部、３５・・持ち上げステー、３６・・位置復元アームセット、３７・・アーム、３８・・ローラ、３９・・ローラ保持部材、４０・・ロールペーパ、５０・・上蓋、６０・・ロールペーパ保持部、６１・・背板、６２・・係止アーム。
【図１】
2015077176.tif 000003
【図２】
2015077176.tif 000004
【図３】
2015077176.tif 000005
【図４】
2015077176.tif 000006
【図５】
2015077176.tif 000007
【図６】
2015077176.tif 000008
【図７】
2015077176.tif 000009
【手続補正書】
【提出日】平成26年12月24日(2014.12.24)
【手続補正１】
【補正対象書類名】特許請求の範囲
【補正対象項目名】全文
【補正方法】変更
【補正の内容】
【特許請求の範囲】
【請求項１】
上下方向へ揺動可能な上蓋を備えてロールペーパを保持するロールペーパホルダに取り付けられ、前記ロールペーパをその端部が前記上蓋からつかみ代として前方へ突出するまで回転させるロールペーパのつかみ代送り出し装置であって、
前記上蓋の下面に取り付けられ、前記上蓋から下方へ突出する突出位置とその突出位置から後方へ倒伏する倒伏位置との間を揺動可能な揺動部材と、その揺動部材を前記突出位置へ付勢する付勢手段と、前記揺動部材の下端に連結される当接部材と、を有し、
前記揺動部材を前後に一対設けて各揺動部材の下端同士を連結部材で連結し、前記連結部材の前端に前記当接部材を設け、
常態では前記揺動部材が前記突出位置に付勢されることで、前記上蓋を前記ロールペーパから離れた上方位置に保持し、前記上蓋を前記上方位置から前端が前記ロールペーパに当接するまで下方へ押し込むと、前記揺動部材が前記当接部材を前記ロールペーパに当接させたまま前記倒伏位置へ揺動し、前記上蓋の押し込みを解除すると、前記付勢手段によって前記突出位置へ復帰する前記揺動部材が前記当接部材を介して前記ロールペーパをつかみ代の突出方向へ回転させることを特徴とするロールペーパのつかみ代送り出し装置。
【請求項２】
上下方向へ揺動可能な上蓋を備えてロールペーパを保持するロールペーパホルダに取り付けられ、前記ロールペーパをその端部が前記上蓋からつかみ代として前方へ突出するまで回転させるロールペーパのつかみ代送り出し装置であって、
前記上蓋の下面に取り付けられ、前記上蓋から下方へ突出する突出位置とその突出位置から後方へ倒伏する倒伏位置との間を揺動可能な揺動部材と、その揺動部材を前記突出位置へ付勢する付勢手段と、前記揺動部材の下端に連結される当接部材と、を有し、
前記当接部材に、前記当接部材の前端との間で前記ロールペーパの端部を挟持して前記つかみ代を前記ロールペーパから浮き上がらせるペーパ保持アームを設け、
常態では前記揺動部材が前記突出位置に付勢されることで、前記上蓋を前記ロールペーパから離れた上方位置に保持し、前記上蓋を前記上方位置から前端が前記ロールペーパに当接するまで下方へ押し込むと、前記揺動部材が前記当接部材を前記ロールペーパに当接させたまま前記倒伏位置へ揺動し、前記上蓋の押し込みを解除すると、前記付勢手段によって前記突出位置へ復帰する前記揺動部材が前記当接部材を介して前記ロールペーパをつかみ代の突出方向へ回転させることを特徴とするロールペーパのつかみ代送り出し装置。
【請求項３】
前記当接部材に、前記当接部材の下面から下方へ突出付勢され、前記ロールペーパへの当接状態で前記当接部材の下面を前記ロールペーパから離間させる持ち上げ部材を設けたことを特徴とする請求項２に記載のロールペーパのつかみ代送り出し装置。
【請求項４】
前記上蓋を前記上方位置からさらに上方へ押し上げて常態で前記当接部材の下面を前記ロールペーパから離間させる押し上げ手段を設けたことを特徴とする請求項２に記載のロールペーパのつかみ代送り出し装置。
【手続補正２】
【補正対象書類名】明細書
【補正対象項目名】０００７
【補正方法】変更
【補正の内容】
【０００７】
本発明のうち、請求項１に記載された発明は、上下方向へ揺動可能な上蓋を備えてロールペーパを保持するロールペーパホルダに取り付けられ、前記ロールペーパをその端部が前記上蓋からつかみ代として前方へ突出するまで回転させるロールペーパのつかみ代送り出し装置であって、
前記上蓋の下面に取り付けられ、前記上蓋から下方へ突出する突出位置とその突出位置から後方へ倒伏する倒伏位置との間を揺動可能な揺動部材と、その揺動部材を前記突出位置へ付勢する付勢手段と、前記揺動部材の下端に連結される当接部材と、を有し、
前記揺動部材を前後に一対設けて各揺動部材の下端同士を連結部材で連結し、前記連結部材の前端に前記当接部材を設け、
常態では前記揺動部材が前記突出位置に付勢されることで、前記上蓋を前記ロールペーパから離れた上方位置に保持し、前記上蓋を前記上方位置から前端が前記ロールペーパに当接するまで下方へ押し込むと、前記揺動部材が前記当接部材を前記ロールペーパに当接させたまま前記倒伏位置へ揺動し、前記上蓋の押し込みを解除すると、前記付勢手段によって前記突出位置へ復帰する前記揺動部材が前記当接部材を介して前記ロールペーパをつかみ代の突出方向へ回転させることを特徴とするものである。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項２に記載された発明は、上下方向へ揺動可能な上蓋を備えてロールペーパを保持するロールペーパホルダに取り付けられ、前記ロールペーパをその端部が前記上蓋からつかみ代として前方へ突出するまで回転させるロールペーパのつかみ代送り出し装置であって、
前記上蓋の下面に取り付けられ、前記上蓋から下方へ突出する突出位置とその突出位置から後方へ倒伏する倒伏位置との間を揺動可能な揺動部材と、その揺動部材を前記突出位置へ付勢する付勢手段と、前記揺動部材の下端に連結される当接部材と、を有し、
前記当接部材に、前記当接部材の前端との間で前記ロールペーパの端部を挟持して前記つかみ代を前記ロールペーパから浮き上がらせるペーパ保持アームを設け、
常態では前記揺動部材が前記突出位置に付勢されることで、前記上蓋を前記ロールペーパから離れた上方位置に保持し、前記上蓋を前記上方位置から前端が前記ロールペーパに当接するまで下方へ押し込むと、前記揺動部材が前記当接部材を前記ロールペーパに当接させたまま前記倒伏位置へ揺動し、前記上蓋の押し込みを解除すると、前記付勢手段によって前記突出位置へ復帰する前記揺動部材が前記当接部材を介して前記ロールペーパをつかみ代の突出方向へ回転させることを特徴とするものである。
【手続補正５】
【補正対象書類名】明細書
【補正対象項目名】００１０
【補正方法】変更
【補正の内容】
【００１０】
請求項３に記載された発明は、請求項２に記載の発明に加え、前記当接部材に、前記当接部材の下面から下方へ突出付勢され、前記ロールペーパへの当接状態で前記当接部材の下面を前記ロールペーパから離間させる持ち上げ部材を設けたことを特徴とするものである。
【手続補正６】
【補正対象書類名】明細書
【補正対象項目名】００１１
【補正方法】変更
【補正の内容】
【００１１】
請求項４に記載された発明は、請求項２に記載の発明に加え、前記上蓋を前記上方位置からさらに上方へ押し上げて常態で前記当接部材の下面を前記ロールペーパから離間させる押し上げ手段を設けたことを特徴とするものである。
【手続補正７】
【補正対象書類名】明細書
【補正対象項目名】００１２
【補正方法】変更
【補正の内容】
【００１２】
請求項１に記載された発明は、構造が単純で、既設のロールペーパホルダに組み込むことが容易であり、従来のロールペーパホルダの使用感と遜色がない。特に、身体の不自由な人にとっては、ロールペーパ端部がつかみ易く、非常に便利である。
【手続補正８】
【補正対象書類名】明細書
【補正対象項目名】００１３
【補正方法】変更
【補正の内容】
【００１３】
請求項２に記載された発明は、構造が単純で、既設のロールペーパホルダに組み込むことが容易であり、従来のロールペーパホルダの使用感と遜色がない。特に、身体の不自由な人にとっては、ロールペーパ端部がつかみ易く、非常に便利である。また、つかみ代とロールペーパ表面との間に空間を形成することから、つかみ代がロールペーパー表面に貼り付くことを防止し、つかみ代がつかみ易くなる。
【手続補正９】
【補正対象書類名】明細書
【補正対象項目名】００１４
【補正方法】変更
【補正の内容】
【００１４】
請求項３に記載された発明は、つかみ代とロールペーパとの間の空間を更に広く確保することが可能で、より一層つかみ代がつかみ易くなる。
【手続補正１０】
【補正対象書類名】明細書
【補正対象項目名】００１５
【補正方法】変更
【補正の内容】
【００１５】
請求項４に記載された発明は、つかみ代がロールペーパに懸かることなく、ロールペーパとつかみ代との間に一定の空間を形成することから、更につかみ代がつかみ易くなる。他にも、ほぼ同位置でつかみ代を提供することが可能であり、装置本体の自重がロールペーパに掛かることもない。
【手続補正１１】
【補正対象書類名】明細書
【補正対象項目名】００３０
【補正方法】変更
【補正の内容】
【００３０】
なお、アームストッパー６によるペーパ保持アーム８の係止は、必ずしもこの態様である必要はなく、ボールプランジャを用いて、先端のボールによってペーパ保持アーム８を係止する構造や、磁石を用いて磁力による吸着であっても良く、適宜変更可能である。